(57)【要約】【課題】測定精度に対する温度変化による影響をより小さくすることができる光プローブ、この光プローブを含む測定装置及び測定方法の提供を目的とする。【解決手段】測定装置１は、光源１０からの近赤外光を測定部２５に照射することで、測定部２５内の測定対象物からの透過光又は散乱光を入射して、分析器３０のセンサ部３３において受光する。分析器３０の解析部３８において、熱電対３５により計測された測定対象物Ｏの温度情報に基づいて、センサ部３３により取得されたスペクトル情報を補正した上で、スペクトルの評価を行う構成とする。これにより、測定対象物の温度変化による測定装置１の測定精度への影響を小さくすることができる。【選択図】図２
2016080431.tif 000002
【特許請求の範囲】
【請求項１】
測定対象物から出射される透過光又は散乱光を入射して分析器まで導波する入射部と、
前記測定対象物の温度を測定して当該温度の情報を分析器まで伝達する温度測定部と、
前記入射部及び前記温度測定部の前記測定対象物側の端部が内部に収容された筺体部と、
を備える光プローブ。
【請求項２】
前記測定対象物に対して、光源からの近赤外光を導波して出射する照射部をさらに備え、
前記入射部は、前記照射部からの前記近赤外光の出射によって前記測定対象物から出射される透過光又は散乱光を入射し、
前記筺体部は、前記照射部の前記測定対象物側の端部を内部に収容する請求項１記載の光プローブ。
【請求項３】
測定対象物から出射される透過光又は散乱光を入射して導波すると共に、前記測定対象物の温度を測定する光プローブと、
前記光プローブに入射させた前記透過光又は前記散乱光を分析する分析器と、
を備える測定装置であって、
前記光プローブは、
前記透過光又は前記散乱光を入射して前記分析器まで導波する入射部と、
前記測定対象物の温度を測定して当該温度に係る情報を前記分析器まで伝達する温度測定部と、
前記入射部及び前記温度測定部の前記測定対象物側の端部が内部に収容された筺体部と、
を備え、
前記分析器は、
前記入射部を導波した前記透過光又は散乱光を受光するセンサ部と、
前記温度測定部により測定された前記測定対象物の温度に基づいて、前記センサ部により受光した光の強度を補正して解析に使用する解析部と、
を備える測定装置。
【請求項４】
前記測定対象物の特定の温度における特定の波長の光に対する吸光度を示す基準吸光度と、前記測定対象物の温度変化に対応する前記基準吸光度からの吸光度変化を示す変化情報と、を格納するデータベースを備え、
前記解析部は、前記データベースに格納された前記基準吸光度と前記変化情報とに基づいて、前記測定対象物の温度に応じた補正を行う請求項３記載の測定装置。
【請求項５】
測定対象物から出射される透過光又は散乱光を入射すると共に、前記測定対象物の温度を測定する光プローブと、
前記光プローブに入射させた前記透過光又は前記散乱光を分析する分析器と、
を備える測定装置による測定方法であって、
前記光プローブに入射した前記透過光又は前記散乱光を前記分析器で受光する受光ステップと、
前記光プローブにおいて測定された温度に係る情報を前記分析器にて取得する温度測定ステップと、
前記温度測定ステップにおいて測定された前記測定対象物の温度に基づいて、前記受光ステップにおいて受光された光の強度を補正して解析に使用する解析ステップと、
を備える測定方法。
【発明の詳細な説明】
【技術分野】
【０００１】
本発明は、光プローブ、この光プローブを含む測定装置及び測定方法に関する。
【背景技術】
【０００２】
例えば懸濁液のような凝集物が含まれる液体試料に対して近赤外光を照射して、測定対象物の近赤外光の反射率及び透過率を測定するための光プローブを備えた測定装置が知られている（例えば、特許文献１，２等）。
【先行技術文献】
【特許文献】
【０００３】
【特許文献１】特開２０００−９６３８号公報
【特許文献２】特開２０００−１２１５５７号公報
【発明の概要】
【発明が解決しようとする課題】
【０００４】
ここで、液体試料に含まれる測定対象物が温度によってスペクトル特性が変化しやすいものである場合、液体試料の温度変化によって測定精度が低下する可能性がある。
【０００５】
本発明は上記を鑑みてなされたものであり、測定精度に対する温度変化による影響をより小さくすることができる光プローブ、この光プローブを含む測定装置及び測定方法の提供を目的とする。
【課題を解決するための手段】
【０００６】
本願発明は、
（１）測定対象物から出射される透過光又は散乱光を入射して分析器まで導波する入射部と、
前記測定対象物の温度を測定して当該温度の情報を分析器まで伝達する温度測定部と、
前記入射部及び前記温度測定部の前記測定対象物側の端部が内部に収容された筺体部と、
を備える光プローブ、
である。
【０００７】
また、本願発明は、
（２）測定対象物から出射される透過光又は散乱光を入射して導波すると共に、前記測定対象物の温度を測定する光プローブと、
前記光プローブに入射させた前記透過光又は前記散乱光を分析する分析器と、
を備える測定装置であって、
前記光プローブは、
前記透過光又は前記散乱光を入射して前記分析器まで導波する入射部と、
前記測定対象物の温度を測定して当該温度に係る情報を前記分析器まで伝達する温度測定部と、
前記入射部及び前記温度測定部の前記測定対象物側の端部が内部に収容された筺体部と、
を備え、
前記分析器は、
前記入射部を導波した前記透過光又は散乱光を受光するセンサ部と、
前記温度測定部により測定された前記測定対象物の温度に基づいて、前記センサ部により受光した光の強度を補正して解析に使用する解析部と、
を備える測定装置、
である。
【０００８】
また、本願発明は、
（３）測定対象物から出射される透過光又は散乱光を入射すると共に、前記測定対象物の温度を測定する光プローブと、
前記光プローブに入射させた前記透過光又は前記散乱光を分析する分析器と、
を備える測定装置による測定方法であって、
前記光プローブに入射した前記透過光又は前記散乱光を前記分析器で受光する受光ステップと、
前記光プローブにおいて測定された温度に係る情報を前記分析器にて取得する温度測定ステップと、
前記温度測定ステップにおいて測定された前記測定対象物の温度に基づいて、前記受光ステップにおいて受光された光の強度を補正して解析に使用する解析ステップと、
を備える測定方法、
である。
【発明の効果】
【０００９】
本発明によれば、測定精度に対する温度変化による影響をより小さくすることができる光プローブ、この光プローブを含む測定装置及び測定方法が提供される。
【図面の簡単な説明】
【００１０】
【図１】第１実施形態に係る測定装置の概要を説明する図である。
【図２】第１実施形態に係る測定装置の概略構成図である。
【図３】第１実施形態に係る光プローブの主要部の概略斜視図である。
【図４】水温に対する水の吸光度スペクトルの変化を示す図である。
【図５】水温と水の吸光度との相関関係を示す図である。
【図６】水温が１℃上昇した際の吸光度の変化を示す図である。
【図７】第２実施形態に係る測定装置の概略構成図である。
【図８】第２実施形態に係る光プローブの主要部の概略斜視図である。
【図９】第３実施形態に係る光プローブの主要部の概略斜視図である。
【発明を実施するための形態】
【００１１】
［本願発明の実施形態の説明］
最初に本願発明の実施態様を列記して説明する。
【００１２】
本願発明の光プローブは、（１）測定対象物から出射される透過光又は散乱光を入射して分析器まで導波する入射部と、前記測定対象物の温度を測定して当該温度の情報を分析器まで伝達する温度測定部と、前記入射部及び前記温度測定部の前記測定対象物側の端部が内部に収容された筺体部と、を備えることを特徴とする。
【００１３】
上記の光プローブによれば、測定対象物の温度を測定して分析器まで伝達する構成を備えることにより、分析器において、当該温度の情報を利用して測定対象物の分析を行うことができる。したがって、測定精度に対する温度変化による影響をより小さくすることができる。また、温度測定部と入射部とが一の筺体部に収容された構成とすることで、取り回しがしやすくなる。
【００１４】
（２）前記測定対象物に対して、光源からの近赤外光を導波して出射する照射部をさらに備え、前記入射部は、前記照射部からの前記近赤外光の出射によって前記測定対象物から出射される透過光又は散乱光を入射し、前記筺体部は、前記照射部の前記測定対象物側の端部を内部に収容する態様とすることができる。
【００１５】
光プローブが照射部をさらに備えている場合、光源からの近赤外光の測定対象物への照射も一の筺体部に収容された構成とすることで、取り扱い性がより向上する。
【００１６】
本願発明の測定装置は、（３）測定対象物から出射される透過光又は散乱光を入射して導波すると共に、前記測定対象物の温度を測定する光プローブと、前記光プローブに入射させた前記透過光又は前記散乱光を分析する分析器と、を備える測定装置であって、前記光プローブは、前記透過光又は前記散乱光を入射して前記分析器まで導波する入射部と、前記測定対象物の温度を測定して当該温度に係る情報を前記分析器まで伝達する温度測定部と、前記入射部及び前記温度測定部の前記測定対象物側の端部が内部に収容された筺体部と、を備え、前記分析器は、前記入射部を導波した前記透過光又は散乱光を受光するセンサ部と、前記温度測定部により測定された前記測定対象物の温度に基づいて、前記センサ部により受光した光の強度を補正して解析に使用する解析部と、を備える態様とすることができる。
【００１７】
上記の測定装置によれば、光プローブにおいて測定対象物の温度を測定して分析器まで伝達する構成を備えることにより、分析器の解析部では、センサ部において受光された光の強度に関して、測定対象物の温度の情報を利用して補正を行った後に、測定対象物の分析を行うことができる。したがって、測定精度に対する温度変化による影響をより小さくすることができる。また、温度測定部と入射部とが一の筺体部に収容された構成とすることで、取り回しがしやすくなる。
【００１８】
（４）前記測定対象物の特定の温度における特定の波長の光に対する吸光度を示す基準吸光度と、前記測定対象物の温度変化に対応する前記基準吸光度からの吸光度変化を示す変化情報と、を格納するデータベースを備え、前記解析部は、前記データベースに格納された前記基準吸光度と前記変化情報とに基づいて、前記測定対象物の温度に応じた補正を行う態様とすることができる。
【００１９】
このように、基準吸光度と変化情報とに基づいて、センサ部において受光された光の強度に関して、測定対象物の温度に応じた補正を行う構成とすることで、温度変化に応じた補正を好適に行うことができる。
【００２０】
本願発明の測定方法は、（５）測定対象物から出射される透過光又は散乱光を入射すると共に、前記測定対象物の温度を測定する光プローブと、前記光プローブに入射させた前記透過光又は前記散乱光を分析する分析器と、を備える測定装置による測定方法であって、前記光プローブに入射した前記透過光又は前記散乱光を前記分析器で受光する受光ステップと、前記光プローブにおいて測定された温度に係る情報を前記分析器にて取得する温度測定ステップと、前記温度測定ステップにおいて測定された前記測定対象物の温度に基づいて、前記受光ステップにおいて受光された光の強度を補正して解析に使用する解析ステップと、を備えることを特徴とする。
【００２１】
上記の測定方法によれば、測定対象物の温度に基づいて、受光ステップにおいて受光された光の強度を補正した上で、解析が行われる。したがって、測定精度に対する温度変化による影響をより小さくすることができる。
【００２２】
［本願発明の実施形態の詳細］
本発明に係る光プローブ及び測定装置の具体例を、以下に図面を参照しつつ説明する。なお、本発明はこれらの例示に限定されるものではなく、特許請求の範囲によって示され、特許請求の範囲と均等の意味及び範囲内での全ての変更が含まれることが意図される。
【００２３】
（第１実施形態）
図１は、第１実施形態に係る測定装置の概略構成と主な使用方法を説明する図である。図１に示すように、測定装置１は、光源１０と、光プローブ２０と、分析器３０と、を含んで構成される。測定装置１による測定対象物Ｏは液体であり、特に凝集物等の懸濁物質が含まれる懸濁液に用いることができる。このような懸濁液としては、例えば、サトウキビ搾汁からエタノールを生成するプロセスにおける発酵液等が挙げられる。測定装置１は、測定対象物Ｏに含まれる懸濁物質ではなく、液体部分の分析を目的として用いられる。
【００２４】
光源１０は、液体の測定対象物に対して照射する近赤外光を出射する。本実施形態に係る測定装置１で用いられる近赤外光とは、７００ｎｍ〜２５００ｎｍの波長帯域の光を指す。光源１０は近赤外光を出射可能であれば特に限定されず、例えば、ハロゲンランプ等を用いることができる。また、光源１０は、パルス光を出射するような構成であってもよい。さらに、光源１０としてスーパーコンティニューム（Supercontinuum）光源を用いることもできる。この場合、広帯域の近赤外光を効率よくプローブに結合できるため、エネルギーのロスは小さくなる。その他、ＬＥＤ光源やＳＬＤ光源を用いることも可能である。この場合、波長帯域が重なるＬＥＤやＳＬＤを複数個組み合わせて出射光の強度を大きくした構成でもよいし、波長帯域の異なるＬＥＤやＳＬＤを組み合わせて出射光の帯域を広げた構成でもよい。これらの場合、光源の低消費電力化や長寿命化が期待できる。
【００２５】
光プローブ２０は、コネクタ等により光源１０に対して接続され、光源１０からの近赤外光を導波して測定対象物の液体に対して近赤外光を出射する。また、光プローブ２０は、近赤外光を照射した測定対象物からの透過光又は散乱光を入射して分析器３０に導波する機能を有する。図１に示すように、測定対象物Ｏ内に光プローブ２０の先端を導入することで、測定が行われる。光プローブ２０内では、光ファイバによって光が導波されるが、その具体的な構成については後述する。また、光プローブ２０は、測定対象物の液体の温度を測定するための熱電対を備える。その具体的な構成についても後述する。
【００２６】
分析器３０は、光プローブ２０からの光を受光して測定を行う機能を有する。分析器３０は、光プローブ２０の光ファイバを導波した透過光又は散乱光を波長に応じて分光する分光部と、２次元配列された複数の受光センサから構成され、分光部により分光された光を受光するセンサ部と、を含んで構成される。また、分析器３０は、光プローブ２０の熱電対により測定された温度情報を取得する機能を有する。測定対象物の液体の温度は、センサ部により受光した光の情報の補正に用いられる。
【００２７】
次に、測定装置１のうち、特に光プローブ２０及び分析器３０について、図２及び図３を参照しながら説明する。図２は、測定装置１の各部の構成を示す概略構成図である。また、図３は、光プローブ２０の先端部の構成を説明する斜視図である。
【００２８】
図２に示すように、光プローブ２０は、光源１０に対してその一方の端部２１ａが接続する第１光ファイバ２１（照射部）と、分析器３０に対してその一方の端部２２ａが接続する第２光ファイバ２２（入射部）と、第１光ファイバ２１の光源１０側とは逆側の端部２１ｂ及び第２光ファイバ２２の分析器３０側とは逆側の端部２２ｂが収容される筺体部２３を含んで構成される。第１光ファイバ２１及び第２光ファイバ２２は、筺体部２３側の端部では、略同一の方向に延び、筺体部２３は、２つの光ファイバの光軸方向に沿って延びる略円筒形状をなしている。
【００２９】
第１光ファイバ２１及び第２光ファイバ２２は、石英ガラス光ファイバを含んだ構成とすることができる。この場合、光源１０から出射される近赤外光を導波させることによる損失を低減することができる。特に、分析器３０と接続された第２光ファイバ２２は、石英ガラスファイバであることが望ましい。この場合には、近赤外光の長波長側となる波長２．５μｍまでの光を低損失で伝送することが可能となる。また、第１光ファイバ２１及び第２光ファイバ２２は、所謂ＯＨフリーファイバであることが好ましい。ＯＨフリーファイバは、１．４μｍ前後及び１．９μｍ前後にあるＯＨ由来の大きな吸収を回避出来ることから、スペクトル解析において近赤外の波長帯を広く有効に活用できる。
【００３０】
第１光ファイバ２１の端部２１ｂ及び第２光ファイバ２２の端部２２ｂは、フィルタ部２４によって外部から区画された測定部２５と対向している。
【００３１】
さらに、光プローブ２０は、分析器３０に対してその一方の端部が接続する熱電対３５を備える。熱電対３５は、第１光ファイバ２１及び第２光ファイバ２２と同様に筺体部２３内に配置される。そして熱電対３５の端部３５ｂは、フィルタ部２４によって外部から区画された測定部２５と対向している。熱電対３５は、測定部２５の温度を測定するための温度測定部として用いられる。温度測定部として、熱電対３５に代えて、サーミスタやサーモパイルを用いてもよい。
【００３２】
図３に示すように、第１実施形態に係る光プローブ２０では、測定部２５は、略円筒状のフィルタ部２４によって外部から区画されている。フィルタ部２４は、貫通孔が複数配置されたものであるため、フィルタ部２４によって区画された測定部２５と、外部との間で液体部分Ａは移動可能とされる。ただし、外部の測定対象物に含まれる相応の大きさを有する固体は、フィルタ部２４によって捕捉されて、測定部２５内に侵入できない構成とされる。
【００３３】
フィルタ部２４は、例えばセラミクスを含む材料から構成される。セラミクスを含む材料をフィルタ部２４に用いることで、例えば、光プローブ２０を測定対象物Ｏ中に長時間浸した場合でも、フィルタ部２４が劣化することを防止することができる。また同様の理由から、筺体部２３についてもセラミクスを用いることができる。また、筺体部２３としては、ステンレス、アルミ、及び樹脂等の材料を用いてもよい。
【００３４】
フィルタ部２４は、直径１０μｍ以上の粒子を９０％以上捕捉可能である態様が好ましい。また、フィルタ部２４は、孔径が１μｍ以下であると、測定対象物に含まれる固体の大半を除去できるため、測定部２５において液体部分Ａの測定を好適に行うことができる。フィルタ部２４は浸透膜フィルタを含んで構成されていてもよい。この場合には、０．１μｍ以下の小さな異物又はクラスタ等の除去も可能となるため、より純粋な液体の計測が可能になる。
【００３５】
なお、フィルタ部２４の形状を維持するために、フィルタ部２４を挟んで筺体部２３とは逆側に先端部２７が設けられ、筺体部２３と先端部２７との間の一部を柱状の支持部材等によって支持する態様とすることができる。
【００３６】
また、フィルタ部２４は、筺体部２３及び先端部２７から取り外し可能（分離可能）とすることができる。この場合、例えば、非使用時にフィルタ部２４を取り外して洗浄することが可能となる。また、測定部２５に対して外部から直接アクセスできるように、フィルタ部２４の一部を開閉可能な構成とすることもできる。
【００３７】
分析器３０は、第２光ファイバ２２の端部２２ａから出射した光をコリメートするレンズ３１と、レンズ３１からの光を波長毎に分離する分光部３２と、分光部３２によって分光された光を受光する複数の受光センサが２次元に配列されたセンサ部３３とを含んで構成される。その他、調整用のレンズ等が設けられていてもよい。
【００３８】
センサ部３３としては、ＭＣＴ、ＩｎＳｂ、ＩｎＧａＡｓ、ＩｎＧａＡｓ／ＧａＡｓＳｂの量子井戸型センサ等を用いることができる。また、分光部３２と、センサ部３３とを備える構成とした場合、従来のポイントセンサを用いる場合と比較して、短時間での測定が可能となる。また、ＩｎＧａＡｓ／ＧａＡｓＳｂの量子井戸型センサをセンサ部３３に適用した場合、比較的安価且つ高精度の計測性能を実現することができる。
【００３９】
分析器３０は、熱電対３５の電圧を計測するための電圧モニタ３６をさらに備えている。電圧モニタ３６は、熱電対３５の端部３５ｂにおいて計測された測定部２５の温度に係る情報を、電圧を測定することで取得する。電圧モニタ３６において取得された測定部２５の温度に係る情報は、センサ部３３において受光された光の強度の補正に用いられる。
【００４０】
分析器３０は、電圧モニタ３６において取得された測定部２５の温度に係る情報に基づいてセンサ部３３にて受光された光の強度を補正するための補正用データベース３７をさらに備える。補正用データベース３７には、所定の温度の水の吸収スペクトルが、当該温度に対応付けられて格納されている。この水の吸収スペクトルは、事前に取得されたものである。
【００４１】
分析器３０は、センサ部３３により取得されたスペクトルを、補正用データベース３７に格納された情報に基づいて補正した後に定量等の解析を行う解析部３８をさらに備える。解析部３８において、測定対象物Ｏの温度に基づいて選択される補正用データベース３７の情報に基づいてスペクトルを補正した後に解析を行う。
【００４２】
このような測定装置１では、光源１０からの近赤外光は、光プローブ２０の第１光ファイバ２１内に端部２１ａから導入され、第１光ファイバ２１内を伝搬した後、端部２１ｂから測定部２５内に出射される。測定部２５内には、光プローブ２０の測定対象物Ｏのうちフィルタ部２４を通過可能な液体部分Ａが滞留するため、光源１０からの近赤外光は、測定部２５内の測定対象物Ｏ（液体部分Ａ）に対して照射される。
【００４３】
近赤外光の照射によって、測定部２５内の測定対象物Ｏ（液体部分Ａ）から出射される散乱光は、レンズ２６を介して、第２光ファイバ２２の端部２２ｂに入射する。散乱光は、第２光ファイバ２２内を伝搬して、第２光ファイバ２２の端部から分析器３０に入射する。その後、レンズ３１でコリメートされた後に、分光部３２で波長分光され、分光された各成分の光が、センサ部３３を構成する互いに異なるセンサによって受光される（受光ステップ）。その後、センサ部３３において受光された波長毎の光の強度に基づいたスペクトル情報を取得することができる。
【００４４】
また、熱電対３５の端面３５ａでは、測定部２５内の測定対象物Ｏ（液体部分Ａ）の温度が計測される（温度測定ステップ）。熱電対３５の端面３５ａで計測された、測定対象物Ｏ（液体部分Ａ）の温度に係る情報は、分析器３０の電圧モニタ３６において取得される。その後、電圧モニタ３６にて取得された液体部分Ａの温度に対応する水の吸収スペクトルが、補正用データベース３７から取得される。
【００４５】
分析器３０の解析部３８では、センサ部３３において受光されたスペクトル情報を、補正用データベース３７から選択された水の吸収スペクトルに基づいた補正を行った後に、補正スペクトルを用いて定量等の解析を行う（解析ステップ）。
【００４６】
上記の測定装置１、光プローブ２０及び測定装置１を用いた測定方法では、測定部２５がフィルタ部２４によって外部から区画されている。したがって測定対象物Ｏが凝集物等を含む懸濁液の場合であっても、フィルタ部２４によって捕捉され、フィルタ部２４を通過可能な液体部分Ａが測定部２５に貯留する。したがって、測定部２５に対して近赤外光を照射して、測定部２５における測定対象物からの散乱光を計測する構成とすることで、懸濁液中の液体部分を対象とした分析を好適に行うことができる。
【００４７】
また、温度測定部として機能する熱電対３５と入射部たる第２光ファイバ２２とが一の筺体部２３に収容された構成とすることで、取り回しがしやすくなり、取り扱い性が向上する。従来は、温度測定は、光学測定とは別の装置を用いて行われることが多かったため、複数の装置を測定対象物Ｏ中に投入する必要があった。これに対して、本実施形態に係る測定装置１の光プローブ２０では、照射部としての第１光ファイバ２１、入射部としての第２光ファイバ２２、及び、温度測定部としての熱電対３５が一体的に構成されているため、１つの光プローブ２０を用いて温度測定と光学測定とを同時に行うことができる。
【００４８】
また、分析器３０の解析部３８において、熱電対３５により計測された温度の情報を利用して測定対象物の分析を行うことができる。具体的には、解析部３８において、補正用データベース３７に格納された温度に対応付けられた水の吸収スペクトルを用いて、センサ部３３により取得されたスペクトル情報を補正した上で、スペクトルの評価を行う構成とする。これにより、測定対象物の温度変化による測定装置１の測定精度への影響を小さくすることができる。
【００４９】
ここで、測定対象物の温度を測定し、これに基づいてスペクトル情報を補正することで測定精度が向上することについて、図４〜８を参照して説明する。
【００５０】
まず、図４では、水温と水の吸収スペクトルとの関係を示す。本実施形態に係る測定装置１の測定対象物は、主に水溶液であり、水が主成分である。したがって、温度変化によって変化する水の吸収スペクトルの形状が、測定結果に影響を与える可能性が大きい。そこで、本実施形態では、水の吸収スペクトルの温度変化に基づいた補正を行った場合について説明する。なお、測定対象物の主成分が水ではない場合には、水に代えて、主成分の液体の吸収スペクトルの温度変化に基づいた補正を行うことが好ましい。
【００５１】
図４では、水温を２３℃〜２７℃まで１℃ずつ変化させながら、水の吸収スペクトルを測定し、水温２５℃における吸収スペクトルを基準とした差分をプロットした結果を示す。水は、温度変化に伴って水の振動状態が変化する。このため、図４に示すように、各波長における吸光度に変化が生じ、スペクトル形状が変化することが確認できた。また、図４によれば、温度が上昇するにつれて吸光度が上昇する箇所（波長１９００ｎｍ付近）と吸光度が下降する箇所（波長１５００ｎｍ付近）があることが確認された。
【００５２】
図５では、図４のプロットに用いた水の吸収スペクトルを用いて、波長１５００ｎｍの光に関する、水温と吸光度との関係を示した図である。図５に示すように、水温に対する吸光度の変化には、線形関係があることが確認された。図４を参照すると、水温に対する吸光度の変化は、波長１５００ｎｍ以外の他の近赤外光波長域でも線形関係にあることが推測できる。そこで、各波長における水温と吸光度との線形関係を算出して、水温が１℃上昇した場合にスペクトル形状がどのように変わるか（吸光度がどのように変化するか）を求めたものを図６に示す。
【００５３】
測定装置１の補正用データベース３７において、図４に示す情報、すなわち、各水温における水の吸収スペクトルを保持している場合、熱電対３５によって測定し、電圧モニタ３６によって取得された、測定対象物Ｏの温度に対応した水の吸収スペクトルを利用して、センサ部３３にて取得されたスペクトルの補正を行うことができる。
【００５４】
また、測定装置１の補正用データベース３７において、図４に示す情報を保持していないとしても、基準温度（例えば２５℃）の水の吸収スペクトル（基準吸光度）と、図６に含まれる情報、すなわち、温度が１℃上昇した場合に、各波長において水の吸収がどれくらい変化するかを示す情報（変化情報）と、を保持しておくことで、水温に対応した水の吸収スペクトルを生成することができ、これに基づいて、センサ部３３にて取得されたスペクトルの補正を行うことができる。なお、測定対象物Ｏの種類が既定であって、測定対象物Ｏの評価に用いる波長が決まっている場合には、基準吸光度として特定の波長の光に対する吸光度の情報を保持すると共に、変化情報として、当該波長における水の吸収スペクトルの水温に対応する変化を示す補正式を補正用データベース３７で保持する構成としてもよい。このようなスペクトル補正を実施することにより、測定精度の向上が期待できる。
【００５５】
（第２実施形態）
次に、第２実施形態に係る測定装置２について説明する。第２実施形態に係る測定装置２では、近赤外光を照射された測定対象物Ｏからの散乱光のみならず透過光についても分析器で受光及び分析が可能な構成を有することを特徴とする。図７に示すように、測定装置２は、光源１０と、光プローブ２０Ａと、分析器３０Ａと、を含んで構成される。
【００５６】
光プローブ２０Ａは筺体部２３に収容される光ファイバの本数が増加する。すなわち、光プローブ２０Ａは、光源１０からの近赤外光を導波して測定部２５に対して出射する第１光ファイバ２１は、第１実施形態の光プローブ２０と同様の機能を有する。また、光プローブ２０Ａは、第２光ファイバ２２に代えて、２本の光ファイバである第３光ファイバ２２０と第４光ファイバ２２１とを有する。
【００５７】
このうち、第３光ファイバ２２０は、第２光ファイバ２２と同様に、測定部２５の測定対象物Ｏからの散乱光を入射して導波し、分析器３０Ａに対して出力する機能を有する。一方、第４光ファイバ２２１は、測定部２５の測定対象物Ｏからの透過光を入射して導波し、分析器３０Ａに対して出力する機能を有する。このため、光プローブ２０Ａの形状も第１実施形態の光プローブ２０とは異なる。
【００５８】
また、光プローブ２０Ａでは、測定部２５の形状が異なる。熱電対３５は、第１実施形態と同様に端面が測定部２５に対して露出して測定部２５の温度を計測可能な配置とされている。このように、熱電対３５の配置は、光プローブ２０Ａの形状に応じて適宜変更できる。
【００５９】
図８に示すように、光プローブ２０Ａでは、測定部２５が光プローブ２０Ａの全周に沿ったものではなく、筺体部２３の一部を切り欠いたような構成とされる。そして、測定部２５と外部とを区画するフィルタ部２４も円筒状ではなく、筺体部２３の外径に沿って帯状に形成される。このような構成であっても、光プローブ２０と同様に、フィルタ部２４を介して測定対象物Ｏが移動可能であり、特に液体部分Ａが測定部２５に貯留可能である。なお、図８では、熱電対３５は図示省略している。
【００６０】
また、第４光ファイバ２２１の端部２２１ｂは、第１光ファイバ２１の端部２１ｂ、第３光ファイバ２２０の端部２２０ｂと略同一面に配置される。そして、測定部２５を透過した透過光が第４光ファイバ２２１の端部２２１ｂに対して入射するように、先端部２７には導波光学系が準備される。すなわち、測定部２５側の端面から、先端部２７に対して透過光を入射すると共に、反射用のミラー２９を２つ配置することで、先端部２７へ入射した透過光Ｌの進路を変更させて、測定部２５が形成されていない先端部２７に透過光Ｌを導波させた後に第４光ファイバ２２１の端部２２１ｂに対して透過光Ｌを入射させる構成としている。
【００６１】
このように、第２実施形態に係る光プローブ２０Ａでは、先端部２７は導波光学系として機能するから、先端部２７は、環境変化や振動等の外部要因などに起因する光軸ずれに対して強い特徴を有しており、石英ガラス、ステンレスの他温度依存性の小さい金属や環境体制のある樹脂等の材料で構成されることが好ましい。
【００６２】
なお、第３光ファイバ２２０及び第４光ファイバ２２１は、それぞれ分析器３０Ａに対して端部２２０ａ及び端部２２１ａが接続されて、第３光ファイバ２２０を導波した光及び第４光ファイバ２２１を導波した光が分析器３０Ａで検出される。分析器３０Ａでは、分析器３０の分光部３２に代えて、センサ部３３の前段に波長可変フィルタ３４が設けられている。このように分析器の構成も適宜変更することができる。
【００６３】
第２実施形態に係る測定装置２の光プローブ２０Ａでは、第３光ファイバ２２０が第２光ファイバ２２と同様に測定対象物Ｏからの拡散反射光を検出する構成としている。さらに、光プローブ２０Ａは、第４光ファイバ２２１及び先端部２７に形成された導波光学系によって、測定対象物Ｏからの透過光を検出する構成としている。したがって、測定対象物Ｏの液体部分Ａについてより高い精度で測定することができる。
【００６４】
また、光プローブ２０Ａのように、熱電対３５を備えることで、熱電対３５によって測定部２５内の測定対象物Ｏの温度を測定することができ、これに基づいて、分析器３０Ａにおいて補正を行うことができるため、温度変化による精度が低下することを防ぐことができる（なお、図７では、補正用データベース３７及び解析部３８の図示を省略している）。
【００６５】
なお、第２実施形態に係る光プローブ２０Ａの変形例として、第３光ファイバ２２０を備えない構成、すなわち、透過光のみを検出する構成とすることもできる。この場合でも、フィルタ部２４を通過して測定部２５に滞留する測定対象物Ｏに対して近赤外光を照射した場合の透過光を測定する構成とし、且つ、熱電対３５によって測定部２５内の測定対象物Ｏの温度を測定して補正を行う構成とすることで、温度変化による測定精度に対する影響を小さくすることができる。
【００６６】
（第３実施形態）
次に、第３実施形態に係る光プローブについて説明する。第３実施形態に係る光プローブでは、光源からの近赤外光を出射する光ファイバと、近赤外光を照射された測定対象物Ｏからの透過光を入射する光ファイバとが測定部を挟んで対向配置する構成を有する。
【００６７】
具体的には、図９に示すように、第３実施形態に係る光プローブ２０Ｂは光源１０と接続された第１光ファイバ２１と、分析器３０に接続されて、第１光ファイバ２１から出射されて測定対象物Ｏを透過した光を入射させる第２光ファイバ２２と、が測定部２５を挟んで対向配置されている。そして、測定部２５は、フィルタ部２４によって外部から区画された形状を有している。また、熱電対３５は、第２光ファイバ２２が配置された端面側に配置されている。
【００６８】
このように、近赤外光を出射する側の光ファイバ（照射部）と透過光又は散乱光を入射する側の光ファイバ（入射部）との配置は、適宜変更することができる。また、筺体部の形状についても、測定部２５の形状等に応じて適宜変更することができる。併せて、熱電対３５の配置についても適宜変更することができる。
【００６９】
以上、本発明の実施形態に係る光プローブ、測定装置及び測定方法について説明したが、本発明に係る光プローブ及び測定装置は上記実施形態に限定されず、種々の変更を行うことができる。
【００７０】
例えば、本発明に係る測定方法では、光学測定と温度測定を行った後に、温度測定結果に基づいて、光学測定の結果を補正した上で解析を行うことを特徴としている。したがって、上記の解析が実施可能な範囲でその構成は適宜変更することができる。
【符号の説明】
【００７１】
１，２…測定装置、１０…光源、２０，２０Ａ，２０Ｂ…光プローブ、３０，３０Ａ…分析器、２１…第１光ファイバ、２２…第２光ファイバ、２３…筺体部、２４…フィルタ部、２５…測定部、３５…熱電対、３６…電圧モニタ、３７…補正用データベース、３８…解析部。
【図１】
2016080431.tif 000003
【図２】
2016080431.tif 000004
【図３】
2016080431.tif 000005
【図４】
2016080431.tif 000006
【図５】
2016080431.tif 000007
【図６】
2016080431.tif 000008
【図７】
2016080431.tif 000009
【図８】
2016080431.tif 000010
【図９】
2016080431.tif 000011